(57)【特許請求の範囲】
【請求項１】
波長の異なる複数の光源である半導体レーザからの光束を光記録媒体へと導く光学手段を介して光記録媒体上の記録面に照射し、該記録面により反射された戻り光束を受光手段により受光しつつ、情報の書き込みおよび消去／または再生を行う光ピックアップ装置において、
複数のホログラムとその間に少なくとも１つの波長の光の偏光方向を回転させる素子を有することを特徴とする光ピックアップ装置。
【請求項２】
前記複数のホログラムのうち少なくとも１つは領域分割されたホログラムであり、前記記録面より反射された戻り光束に対して複数の波長の光束をそれぞれ２等分割するように領域分割されていることを特徴とする請求項１記載の光ピックアップ装置。
【請求項３】
少なくとも１つのホログラムは入射光の偏光方向により回折効率が異なる偏光ホログラムであることを特徴とする請求項１および２に記載の光ピックアップ装置。
【請求項４】
前記記録面により反射された複数の波長の戻り光束を前記複数のホログラムに導くためのレンズが、複数の光源の波長に対して色収差を無くすように構成されていることを特徴とする請求項１から３の何れかに記載の光ピックアップ装置。
【請求項５】
前記複数のホログラムとその間に配された少なくとも１つの波長の光の偏光方向を回転させる素子と受光手段とが一体化されていることを特徴とする請求項１から４の何れかに記載の光ピックアップ装置。
【請求項６】
波長の異なる複数の光源である半導体レーザからの光束はコリメートレンズにより平行光と成し、同じビーム整形プリズムへ入射し、入射面と射出面は共通であり、各光源からの光軸のビーム整形プリズムへの入射角は互いに異なり、各光源からの光軸のビーム整形プリズム射出面からの射出角を略等しくしたことを特徴とする請求項１から５の何れかに記載の光ピックアップ装置。
【請求項７】
ホログラムもしくは偏光を回転する素子は無機物質を斜め蒸着により形成されていることを特徴とする請求項１から６の何れかに記載の光ピックアップ装置。
【請求項８】
ホログラムもしくは偏光を回転する素子は有機延伸膜により形成されていることを特徴とする請求項１から６の何れかに記載の光ピックアップ装置。
【発明の詳細な説明】
【０００１】
【発明の属する技術分野】
本発明は、情報の書き込みおよび消去／または再生を行う光ピックアップ装置に関する。
【０００２】
【従来の技術】
従来、光ピックアップ装置は、例えば、ビームレーザを用いたＤＶＤ／ＣＤ／ＣＤ−Ｒ等のＣＤ系メディアの記録装置もしくは再生装置として適用される。
【０００３】
ＣＤ系メディアを記録もしくは再生するための７８０ｎｍのＬＤチップとＤＶＤ系メディアを、記録もしくは再生するための６３５ｎｍのＬＤチップを１つのパッケージに納め、２波長をディスクに照射する照明光学系と２波長を同一のＰＤで受光する検出光学系を備えた２波長対応光ピックアップとして実現されている。この２つのＬＤの発光点の違いをウォラストンプリズムで合成することにより、同一ＰＤで信号検出できるようにしている。
【０００４】
また、発光点位置が異なっていても同一ＰＤで受光できるようにホログラムを短冊形に分割し、複数の波長のトラッキング信号を共通のＰＤで信号検出できるようにする。これによりＰＤの数を増やさなくても済むので回路系が簡素化される。
【０００５】
本発明と技術分野の類似する先願発明例１として、特開平１１−２４２８２８号公報の「光学装置および光学ピックアップ装置」がある。本先願発明例１では、６５０ｎｍＬＤと７８０ｎｍＬＤを１チップ内に作製し、２つのＬＤの発光点位置精度を向上させることにより、２波長ピックアップモジュールを実現している。上述の２波長２チップタイプに比べて発光点精度が良いので、ピックアップ組み付け時に各波長ごとの調整はいらない。
【０００６】
【発明が解決しようとする課題】
しかしながら、ＤＶＤ＋ＲＷやＤＶＤ−ＲＡＭの規格では、６３５ｎｍではなく、６５０ｎｍのＬＤが使われる。６５０ｎｍＬＤと７８０ｎｍＬＤとでは、出射光の偏光方向が同じであるため、ウォラストンプリズムで合成することはできないという問題点を伴う。
【０００７】
また、上記の先願発明例１の１チップＬＤでは、作製が難しく歩留まりが悪いのでコストアップになる上、６５０ｎｍＬＤと７８０ｎｍＬＤ両方を高出力化することが難しく、ＣＤ、ＤＶＤ双方を記録できる光ディスクには不向きである。また、２つの波長を同一ＰＤでは受光できないのでＰＤの数が増え、回路系が複雑になる。
【０００８】
本発明は、性能を向上させた光ピックアップ装置を提供することを目的とする。発明毎のより詳細な目的は、下記の通りである。
【０００９】
請求項１記載の光ピックアップ装置は、ＣＤ系の波長７８０ｎｍＬＤチップとＤＶＤ系の波長６５０ｎｍＬＤチップの発光点が違っていても、２つのホログラムとその間に配した偏光回転素子により波長ごとにフォーカス調整できるようにして、精度良く信号検出できるようにする。
【００１０】
請求項２記載の光ピックアップ装置は、ＣＤ系の波長７８０ｎｍの光とＤＶＤ系の波長６５０ｎｍの光にそれぞれ最適化した短冊形ホログラムを使うことにより、波長ごとにトラッキング信号が最適になるようにする。
【００１１】
請求項３記載の光ピックアップ装置は、偏光ホログラムを用いることにより光利用効率を向上させて信号の高速化にも対応できるようにする。
【００１２】
請求項４記載の光ピックアップ装置は、検出レンズを色消しレンズにして７８０ｎｍ光も６５０ｎｍ光も同一面ＰＤで安定に信号検出できるようにする。
【００１３】
請求項５記載の光ピックアップ装置は、ホログラムと偏光回転素子と受光素子を一体化することにより小型化と安定化を図る。
【００１４】
請求項６記載の光ピックアップ装置は、発光点と波長の異なる光をビーム整形プリズムにより対物レンズにどちらも垂直に入射するようにさせることにより、ディスク面スポットの収差を小さくし、受光素子上のスポットの収差も小さくする。
【００１５】
請求項７記載の光ピックアップ装置は、偏光ホログラムや偏光回転素子の材料として有機物質を配向して形成した有機延伸膜を用いることにより、低コスト化を実現させる。
【００１６】
請求項８記載の光ピックアップ装置は、偏光ホログラムの材料として無機物質を斜め蒸着により形成した膜を用いることにより、低コスト化と薄型化を実現させる。
【００１７】
【課題を解決するための手段】
かかる目的を達成するため、請求項１記載の発明の光ピックアップ装置は、波長の異なる複数の光源である半導体レーザからの光束を、光記録媒体へと導く光学手段を介して光記録媒体上の記録面に照射し、該記録面により反射された戻り光束を受光手段により受光しつつ、情報の書き込みおよび消去／または再生を行う光ピックアップ装置であり、複数のホログラムとその間に少なくとも１つの波長の光の偏光方向を回転させる素子を有することを特徴とする。
【００１８】
請求項２記載の発明は、請求項１記載の光ピックアップ装置において、複数のホログラムのうち少なくとも１つは領域分割されたホログラムであり、記録面より反射された戻り光束に対して複数の波長の光束をそれぞれ２等分割するように領域分割されていることを特徴とする。
【００１９】
請求項３記載の発明は、請求項１および２に記載の光ピックアップ装置において、少なくとも１つのホログラムは入射光の偏光方向により回折効率が異なる偏光ホログラムであることを特徴とする。
【００２０】
請求項４記載の発明は、請求項１から３の何れかに記載の光ピックアップ装置において、記録面により反射された複数の波長の戻り光束を複数のホログラムに導くためのレンズが、複数の光源の波長に対して色収差を無くすように構成されていることを特徴とする。
【００２１】
請求項５記載の発明は、請求項１から４の何れかに記載の光ピックアップ装置において、複数のホログラムとその間に配された少なくとも１つの波長の光の偏光方向を回転させる素子と受光手段とが一体化されていることを特徴とする。
【００２２】
請求項６記載の発明では、請求項１から５の何れかに記載の光ピックアップ装置において、波長の異なる複数の光源である半導体レーザからの光束はコリメートレンズにより平行光と成し、同じビーム整形プリズムへ入射し、入射面と射出面は共通であり、各光源からの光軸のビーム整形プリズムへの入射角は互いに異なり、各光源からの光軸のビーム整形プリズム射出面からの射出角を略等しくしたことを特徴とする。
【００２３】
請求項７記載の発明は、請求項１から６の何れかに記載の光ピックアップ装置において、ホログラムもしくは偏光を回転する素子は無機物質を斜め蒸着により形成されていることを特徴とする。
【００２４】
請求項８記載の発明は、請求項１から６の何れかに記載の光ピックアップ装置において、ホログラムもしくは偏光を回転する素子は有機延伸膜により形成されていることを特徴とする。
【００２５】
【発明の実施の形態】
次に添付図面を参照して本発明による光ピックアップ装置の実施の形態を詳細に説明する。図１から図１４を参照すると本発明の光ピックアップ装置の一実施形態が示されている。
【００２６】
（第１の実施例）
図１は、本発明の第１の実施例の構成図である。光源である６５０ｎｍ半導体レーザ１から出射された光ビームは、コリメートレンズ２で平行光になり対物レンズ４により光記録媒体面５に照射される。ここで光記録媒体面５で反射された光は、もと来た光路を戻り、ビームスプリッタ３で反射される。検出レンズ６により収束光となった光は、トラック検出用ホログラム７（図２）で回折光と透過光に別れる。回折光は、ホログラム7-a と7-b により２つの光束に分けられ、２分割受光素子10-1-650により受光されてその差信号によりトラック信号検出される。トラック検出用ホログラム７は、６５０ｎｍビームの上半分に有り、６５０ｎｍビームの下半分にはない。
【００２７】
トラック検出用ホログラム７からの透過光（ビームの下半分）は、偏光回転素子８を透過し、ホログラム９（図３）も透過してフォーカス検出用２分割受光素子10-0-650により受光されてフォーカス信号検出（ナイフエッジ法）される（図４）。この時、６５０ｎｍ光は、偏光回転素子８により偏光方向が９０°回転させられるのでホログラム９では回折せずに透過して受光素子に受光される。このようなピックアップの組付け方としては、まずトラック検出用ホログラム７をビームの中心に配置して、２分割受光素子10-0-650をＹ方向に調整して６５０ｎｍ透過光スポットが２等分される位置に分割線を合わせればよい。
【００２８】
一方、７８０ｎｍ半導体レーザ１１から出射された光も同様に、コリメートレンズ２で平行光になって対物レンズ４により光記録媒体面５に照射される。ここで反射された光は、もと来た光路を戻り、ビームスプリッタ３で反射される。検出レンズ６により収束光となった光は、トラック検出用ホログラム７（図５）で回折光と透過光に別れ、回折光は、受光素子10-1-780により受光される。受光素子10-1-780は、面積を大きくしたり、発光点とホログラムのピッチを適正化すれば、６５０ｎｍ光受光素子10-1-650と共通にできる。トラック検出用ホログラム７を透過した７８０ｎｍ光（ビームの下半分）は、偏光回転素子８で偏光の回転を受けずにホログラム９に入射する。
【００２９】
偏光回転素子８は、６５０ｎｍ光の偏光を９０°回転させ（１／２波長板作用）、７８０ｎｍ光の偏光は回転させない（２／２波長板作用）ような位相差を与える素子である。偏光の回転を受けずにホログラム９に入射した７８０ｎｍ光は、ホログラム９（図６）で回折される。ホログラム９は、入射した７８０ｎｍ光を６５０ｎｍ光フォーカス検出用２分割受光素子10-0-650上に集光するように設計してあるので、回折されたスポットは６５０ｎｍ光フォーカス検出用受光素子で信号検出される。これにより受光素子の共通化が図れる（図７) 。
【００３０】
このように、６５０ｎｍ光は透過、７８０ｎｍ光を回折させることにより、６５０ｎｍ光と７８０ｎｍ光とが発光点が異なっていても集光点は同じにすることができ、同一ＰＤで信号検出できる。しかしながら、それはＬＤが理想的に精度良く実装されている場合（図８のａ）で、実際には発光点にばらつきがある。例えば、２つのＬＤの発光点がずれていた場合は、２分割受光素子10-0-650上に集光する２つのスポットもずれる（図８のｂ）。
【００３１】
Ｘ方向のずれは分割線に沿った方向なのでずれていても問題ないが、Ｙ方向のずれは信号に大きなオフセットを生じさせる。そのような場合は、ホログラム９を回転させる。ホログラム９を回転させるとその回転角度に応じて回折角が変化し、ＰＤ上の７８０ｎｍ光スポットもＹ方向に変動する。７８０ｎｍ光スポットをＹ方向に動かして受光素子の分割線で２等分する位置に合わせれば、オフセットはなくなる。ホログラム９を回転させても、６５０ｎｍ光はただ透過しているだけなので、ＰＤ上の６５０ｎｍ光スポットは変動しない。つまり、フォーカス検出用受光素子は、６５０ｎｍ光スポットに合わせて受光素子側を最適に調整しておき、７８０ｎｍ光スポットのずれはホログラム９の回転で補正すれば両波長に対して最適位置に合わせることができることになる。
【００３２】
このような検出系により、発光点に誤差があっても良好な信号が得られるので、ハイブリットタイプの２チップＬＤを使って２波長ピックアップを実現することが可能になる。
【００３３】
（第２の実施例）
第１の実施例では、６５０ｎｍ光を透過させ７８０ｎｍ光を回折させることにより、フォーカス検出用スポットを独立に調整できるようにして、ＬＤ発光点の精度が悪くても検出光学系で補正できることを示した。ここでは、今度はトラック検出について光学系で補正できることを示す。
【００３４】
図２と図５からわかるように、ホログラム７上では６５０ｎｍ光と７８０ｎｍ光はＸ方向に少しずれている。これは、発光点が異なることから生じているずれであり、実装の誤差ではないので、２波長ＬＤがモノリシック型でもハイブリット型でも生じるずれである。
【００３５】
図２、図５のようにトラック分割線が１本の場合はどちらか一方の波長に対して２等分割するように合わせるか、両波長に対してほどほど２等分割になるように合せるしかないので、どちらか一方の波長もしくは両波長とも多少なりともＴｒオフセットが発生する。これを解消するためには、両波長に対してＴｒ分割線が独立に存在すれば良い。そのためには図９に示すように、ホログラムを短冊形に分割し、２つの分割線が６５０ｎｍ光スポットと７８０ｎｍスポットをそれぞれ２等分するように短冊をレイアウトすれば良い。これにより、両波長ともオフセットのないトラック信号（プッシュプル信号）を得ることができる。
【００３６】
ホログラムの分割は、図９のような分割パターンとなる。光記録媒体面５で反射された６５０ｎｍ光のパターンの中心にＴｒ分割線が位置するように配置され、その分割線を境に左右対称に６５０ｎｍ用ホログラム（黒斜線部分）がビームを２等分するように配置される。一方、７８０ｎｍ光に対しても１ビームでトラック検出できるように、７８０ｎｍ用ホログラム（灰色斜線部分）を配置し、７８０ｎｍ光のパターンの中心にもう一つのＴｒ分割線ができるようにする。７８０ｎｍ光のスポットの中心に分割線を設け、その分割線で左右対称になるように７８０ｎｍ用ホログラムの短冊を配置しいていけば、７８０ｎｍ光をトラック検出できる。こうして２分割した光束を、２つのＰＤ10-1-650からの出力差からプッシュプルによるトラック検出ができる。
【００３７】
以上のように短冊形ホログラムを交互に配置することにより、複数の波長に対してプッシュプル信号が得られ光利用効率の高い１ビームで信号検出できるようになる。
【００３８】
（第３の実施例）
次に、ホログラム７やホログラム９に偏光ホログラムを用いる効果について説明する。ホログラム９の役割は、６５０ｎｍ光は透過し、７８０ｎｍを回折させるものである。すなわち、６５０ｎｍ光は１００％透過して、７８０ｎｍは１００％回折することが望ましい。そのような性能を実現するためには、偏光ホログラムを用いることが有用である。ディスクからの反射光を偏光回転素子８により６５０ｎｍ光と７８０ｎｍ光が偏光方向が９０°異なるようにして偏光ホログラム９に入射させれば、６５０ｎｍ光は１００％透過して、７８０ｎｍは４０％回折（＋１次光）するようにすることができる。通常のホログラムでは、一方の波長を１００％透過させるようにすると、もう一方の波長も透過しやすくなり、回折効率はせいぜい１０％程度になり、偏光ホログラムを用いる場合に比べて効率はあまり高くはならない。
【００３９】
トラック検出用ホログラム７については、６５０ｎｍ光、７８０ｎｍ光を共に回折させることが望ましいので、必ずしも偏光ホログラムでなくても良好な性能を満たすことはできる。例えば、通常のガラスをエッチングして作られるホログラムをブレーズ形状にするなどして、高効率化を図ることができる。
【００４０】
（第４の実施例）
本発明の第４の実施例は、検出レンズ６の色収差をなくすことである。本構成では、６５０ｎｍ光、７８０ｍ光を同一のＰＤで受光するので、波長が異なっていてもどちらの光もＰＤ上で集光することが望まれる。そのためには、検出レンズ６が６５０ｎｍ光と７８０ｎｍ光に対して色収差がないことが望ましい。色収差があってもＰＤを６５０ｎｍ光の集光点に合わせ、７８０ｎｍ光はホログラム９によりＰＤ上に集光点が来るように補正することも可能ではある。しかし、そのようにすると、７８０ｎｍＬＤの波長が変動した時にホログラム９に色収差が発生し、Ｆｏ信号にオフセットが生じてしまう（図１０、図１１）。
【００４１】
すなわち、検出レンズ６の色収差をなくすことで、温度変化等でＬＤの波長が変化した場合でもオフセットが生じることなく安定に信号検出できる。
【００４２】
（第５の実施例）
本発明の第５の実施例は、検出系の小型化と信頼性の向上を図るためのデバイスの集積化である。第１の実施例で示したように、ＰＤ１０を位置合わせした後にホログラム９を回転調整すれば、２波長に対して独立に調整でき、２波長両方に最適に調整ができる。そのように調整した後に、ＰＤ１０とホログラム７と偏光回転素子８とホログラム９を接着して一体化すれば、安定性が向上し、信頼性が増す。また、ＰＤとは接着しなくてもトラック検出用ホログラム７と偏光回転素子８とホログラム９を接着して一体化しておけば、これを１つのデバイスとして扱うことができ、個別に組付け調整するよりも工程が減りコストダウンと信頼性が向上する。
【００４３】
（第６の実施例）
次にビーム整形プリズムがある場合について説明する。出願人から２ＬＤユニットにおいてビーム整形プリズムの色収差を利用して発光点の違いによる出射角および光軸シフトを補正する方法が提案されている。これは２つの波長の光が対物レンズへの入射角が等しくなるようにしてチルトの影響を軽減したり、光軸のシフトを補正して２つの波長とも高い光利用効率で光記録媒体上に照射させるというものである。このようなビーム整形プリズムと第１の実施例から第５の実施例に記載した２つのホログラムと偏光回転素子を組み合わせた構成について以下に説明する。
【００４４】
図１２において、光源である６５０ｎｍ半導体レーザ１から出射された光ビームはコリメートレンズ２で平行光になる。次にビーム整形プリズム１２でビーム形状をより円形に変換され、対物レンズ４により光記録媒体面５に照射される。ここで光記録媒体面５で反射された光は、もと来た光路を戻り、ビームスプリッタ３で反射される。検出レンズ６により収束光となった光は、トラック検出用ホログラム７で回折光と透過光に別れ、受光素子により受光され信号検出される。一方、７８０ｎｍ半導体レーザ９から出射された光も同様に、コリメートレンズ２で平行光になってビーム整形プリズム１２でビーム形状をより円形に変換され、対物レンズ４により光記録媒体面５に照射される。
【００４５】
ここで反射された光は、もと来た光路を戻り６５０ｎｍ光同様、受光素子で信号検出される。この２つの波長に対してビーム整形プリズムは、プリズムを透過後は２つの波長の出射光が平行になり、加えて光軸も一致するように設計されるので、トラック検出用ホログラム７上の２つの波長のスポットは、図１３のようにほぼ重なった状態になる。このような場合はホログラムの領域分割の仕方は、図９のように２つの分割線を持つ必要はなく、１つの分割線で良く、図２、図５に示したような１波長に対する分割パターンと同様で良い。
【００４６】
２波長の出射角と光軸がほぼ一致した場合、検出系でＦｏ検出用に用いるトラック検出用ホログラム７からの透過光スポットは２波長ともＰＤ10-0-650上でほぼ同一点に集光される。しかしながら７８０ｎｍ光は回折光として受光素子に導かないと２波長で独立に調整できないので、７８０ｎｍ光はホログラム９により６５０ｎｍ光用受光素子10-0-650とは別の受光素子10-1-780で受光するようにすればよい。ホログラム９が１次光以外は発生しなければ６５０ｎｍ光と同一の受光素子10-0-650で受光してもよい（図１４）。
【００４７】
以上のように色収差を補正するビーム整形プリズムを用いることによりビーム整形効果と１ビーム化によりにより光利用効率が高いため、高速記録に適したピックアップを実現できると同時に分割パターンも簡素化できる。
【００４８】
（第７の実施例）
偏光ホログラムを形成する複屈折材料について説明する。現在は、ＬｉＮｂｏ３やＣａＣＯ３の様な結晶材料がよく用いられているがコストが高く、より低コスト化が望まれている。そこで、低コストな複屈折膜として、誘電体材料を真空蒸着で成膜する際に、蒸発源に対して基板を傾けて配置させる、いわゆる斜め蒸着膜と言うものがある（「位相差膜」豊田中研多賀氏表面技術Vol.46,No7,1995 ）。蒸発源としてＴａ２Ｏ５、ＳｉＯ２などの誘電体材料を用い、基板を斜めにして蒸着すると、複屈折Δｎ（＝ｎｐ−ｎｓ）が０．０８程度の膜を作ることができる。これは、ＬｉＮｂＯ３結晶が有する複屈折Δｎと同等で、かつ真空蒸着法と言う簡便な方法で大面積に作れるので低コスト化を図ることができる。加えて蒸着膜なので非常に薄く（１０μｍ以下、ＬｉＮｂｏ３結晶の厚さはおよそ５００〜１０００μｍくらい）、発散光路中に置いても収差の発生量は非常に小さく抑えられる。
【００４９】
また偏光ホログラムだけではなく、偏光回転素子にも斜め蒸着膜を使うことができる。偏光回転素子は６５０ｎｍ光に対しては１／２波長板として作用し、７８０ｎｍ光に対しては２／２波長板として作用することが望ましいが、６５０ｎｍ光と７８０ｎｍ光が独立に調整できれば必ずしもこの値に一致しなくても十分な効果が得られる。
【００５０】
（第８の実施例）
複屈折膜を容易に得る別の方法として、有機の高配向膜を用いる方法がある。１例として、ガラスなどの透明基板上にＳｉＯなどの斜め蒸着したり、あるいはポリエチレンテレフタレート（ＰＥＴ）などの有機膜を布でこすってラビング処理した配向膜上にポリジアセチレンモノマーを真空蒸着して配向させ、このあと紫外線を照射してポリマー化して異方性膜を作る方法である（J.Appl.Phys. vol.72. No3.  P938  1992 ）。この方法により、有機材料の複屈折膜を安価に生産することができる。
【００５１】
また複屈折膜を得る別の加工法として、スピンコートなどにより作製したポリイミドやポリカーボネートのフィルムを延伸により分子鎖を一軸方向に配向させ、面内複屈折を発生させる方法もある。延伸の時の温度や加える力により複屈折Δｎは変えることができ、安価で量産可能な方法である（参照；ポリイミド光波長板の開発とその特性   NTT澤田等信学技報１９９４−０８）。
【００５２】
こうして得られた複屈折膜にエッチング等により凹凸を形成し、ホログラム加工を施し、その表面を等方性の屈折率の物質で埋めて平坦化することにより低コストで高効率な偏光ホログラムが形成される。また第７の実施例と同様、偏光ホログラムだけではなく偏光回転素子にも有機膜を使うことができる。
【００５３】
本発明は上記のような複数の異なる波長の光源を有する光ピックアップ装置において、６５０ｎｍＬＤと７８０ｎｍＬＤをモノリシックに１チップ内に形成した場合ではなく６５０ｎｍＬＤと７８０ｎｍＬＤを個別のチップ（ハイブリット化）にして実装した場合のピックアップ装置についての発明である。ＬＤを個別に実装するとそれぞれの波長にについて所望の出力のＬＤが使え、光ディスクドライブ装置の仕様に合わせて最適なＬＤを用いることができるので、高速化、低コスト化が図ることができる。
【００５４】
反面、ＬＤチップを個々に実装するので実装時に誤差が生じ、２つの発光点間隔の精度が悪くなる。本発明では、発光点位置精度が劣っていても検出光学系で補正して、２波長を同一の受光素子で信号検出できるようにして小型、低コスト化を図ると同時に、２つのレーザ光源の位置ずれによる収差や信号のオフセットを低減して、良好な信号を得ることを課題としている。
【００５５】
【発明の効果】
以上の説明より明らかなように、本発明の光ピックアップ装置によれば、複数の光源を有する光ピックアップ装置において、発光点誤差の大きい２波長２チップレーザ（別名：ハイブリットタイプ）を光源とした場合でも、どの波長に対しても精度良く信号検出できるように調整できるので信頼性の高い信号が得られ、光源パワーも最適なものを選べるのでに光利用効率が良く、ＬＤの歩留まりもよくなりコストダウンができるようになる。
【００５６】
請求項１記載の光ピックアップ装置によれば、どの波長に対しても独立にＦｏ信号を調整できるのでオフセットの小さい信頼性の高いＦｏ信号を得ることができる。
【００５７】
請求項２記載の光ピックアップ装置によれば、２つの波長の発光点の間隔に合わせてＴｒ検出の分割線位置を最適化できるのでオフセットの小さい信頼性の高いＴｒ信号を得ることができる。
【００５８】
請求項３記載の光ピックアップ装置によれば、ホログラムに偏光ホログラムを用いることにより高い効率で透過する光と回折する光に分離することができるので信号成分の光利用効率を高めることができ、ディスクの高速回転化に対応できるようになる。
【００５９】
請求項４記載の光ピックアップ装置によれば、検出レンズの色収差を無くすことにより、ホログラムにレンズ作用を持たせる必要がなくなり、熱や温度変化によるＬＤ光源の波長変動やＬＤ個別の発光波長の違いがあった場合でも安定した信号検出ができる。
【００６０】
請求項５記載の光ピックアップ装置によれば、ホログラムや偏光回転素子が受光素子と一体化されていることにより組付け工程が簡素化されるとともに、径時変化に対して安定にすることができる。
【００６１】
請求項６記載の光ピックアップ装置によれば、複数波長の光束のビーム形状を変換するプリズムを用いることにより、高い光利用効率を得ることができ高速に記録や再生ができる上にホログラムパターンも簡素化できる。
【００６２】
請求項７記載の光ピックアップ装置によれば、偏光ホログラムの材料として安価に作製できる蒸着膜を採用することによりデバイスの低コスト化と薄型化を実現できる。
【００６３】
請求項８記載の光ピックアップ装置によれば、偏光ホログラムの材料として安価に作製できる有機延伸膜を採用することによりデバイスの低コスト化を実現できる。
【図面の簡単な説明】
【図１】本発明の光ピックアップ装置の実施形態を示す構成図である。
【図２】６５０ｎｍ光のホログラム７である。
【図３】６５０ｎｍ光のホログラム９である。
【図４】受光素子形状例を示している。
【図５】７８０ｎｍ光のホログラム７である。
【図６】７８０ｎｍ光のホログラム９である。
【図７】受光素子共通化を示す図である。
【図８】受光素子上のスポット位置ずれと調整手順を説明するための図である。
【図９】Ｔｒオフセットを解消するための手順を説明するための図である。
【図１０】検出レンズに色収差がある場合とない場合のＦｏ信号のオフセット調整手順を説明するための図である。
【図１１】検出レンズに色収差がある場合とない場合のＦｏ信号のオフセット調整手順を説明するための図である。
【図１２】２つのホログラムと偏光回転素子を組み合わせた構成例を示す図である。
【図１３】ホログラム７上の２つの波長のスポットの一例を示す図である。
【図１４】受光素子の形状例を示した図である。
【符号の説明】
１  ６５０ｎｍ半導体レーザ
２  コリメートレンズ
３  ビームスプリッタ
４  対物レンズ
５  光記録媒体面
６  検出レンズ
７  トラック検出用ホログラム
８  偏光回転素子
９  ホログラム
１０  受光素子
１１  ７８０ｎｍ半導体レーザ
１２  ビーム整形プリズム
【図１】
0003950620.tif 000002
【図２】
0003950620.tif 000003
【図３】
0003950620.tif 000004
【図４】
0003950620.tif 000005
【図５】
0003950620.tif 000006
【図６】
0003950620.tif 000007
【図７】
0003950620.tif 000008
【図８】
0003950620.tif 000009
【図９】
0003950620.tif 000010
【図１０】
0003950620.tif 000011
【図１１】
0003950620.tif 000012
【図１２】
0003950620.tif 000013
【図１３】
0003950620.tif 000014
【図１４】
0003950620.tif 000015